(57)【特許請求の範囲】
【請求項１】
複数のパネルを隙間を空けた状態で壁面に着脱自在に取り付けるパネル取付構造であって、
前記壁面または前記パネルの背面のいずれか一方に係止部、他方に該係止部に係止される被係止部が設けられ、
前記パネルからの押圧を受けることにより、前記被係止部が前記係止部に係止されるとともに、前記係止部側または前記被係止部側に設けられた解除レバーを前記隙間から操作することにより前記係止部と前記被係止部との係止状態が解除されることを特徴とするパネル取付構造。
【請求項２】
請求項１において、
前記係止部は、上下動する係止スライダーの先側に形成され、前記押圧により前記係止スライダーが移動し、鉤型形状の前記被係止部が前記係止部に係止されることを特徴とするパネル取付構造。
【請求項３】
請求項２において、
前記係止スライダーは、前記係止スライダーの前記上下動を規制するロックプレートを備え、
該ロックプレートは、前記押圧を受けると、前記係止スライダーに対するロック状態を解除し、付勢手段の付勢力によって前記係止部が前記被係止部を係止する係止位置への移動を許容し、前記被係止部が前記係止部に係止されるとともに、
前記解除レバーを操作することにより、前記付勢手段の付勢力に抗して前記係止状態が解除され、前記係止スライダーは前記ロックプレートによって前記ロック状態とされることを特徴とするパネル取付構造。
【請求項４】
請求項２において、
前記係止部と前記被係止部とは互いにかみ合う形状に形成され、
前記押圧を受けると、前記被係止部が前記係止部に当接して前記係止スライダーが上昇し、前記被係止部が前記係止部との係止位置まで押し込まれると、前記係止スライダーが自重によって下降し、前記被係止部が前記係止部に係止されるとともに、
前記解除レバーを前記係止スライダーの自重に抗して上向きに操作することにより、前記係止状態が解除されることを特徴とするパネル取付構造。
【請求項５】
請求項１において、
前記被係止部は、前記係止部に向かって突出した突起片からなり、前記押圧により前記突起片が前記係止部に設けられた凹所に嵌め入れられ、前記突起片が前記凹所に係止されるとともに、
前記解除レバーを回動操作することにより、前記係止状態が解除されることを特徴とするパネル取付構造。
【請求項６】
請求項１〜請求項５のいずれか１項において、
前記壁面の前記隙間に対応する位置には、固定柱が設けられ、該固定柱に前記係止部または前記被係止部が取り付けられていることを特徴とするパネル取付構造。
【発明の詳細な説明】
【技術分野】
【０００１】
本発明は、壁面にパネルを着脱自在に取り付けるパネル取付構造に関する。
【背景技術】
【０００２】
従来より、パネルを壁面に取り付けるパネル取付構造は、種々提案されており、例えば、下記特許文献１及び２が挙げられる。
【０００３】
下記特許文献１には、パネルの裏面に設けられた支持部材に支持孔を形成し、壁面（支持壁部）に設けられたピンに支持孔の上縁を引っ掛け、その後、連結具によって支持部材と壁面とを連結するものが記載されている。
また下記特許文献２には、隣り合う間柱の各対向部位にそれぞれ取り付けられる左右一対の胴縁係止用取付金具に、パネルの裏面に設けられた胴縁の両端部を係止するものが記載されている。
【先行技術文献】
【特許文献】
【０００４】
【特許文献１】特開昭６２−２１１４４０号公報
【特許文献２】特開平８−３１９７０９号公報
【発明の概要】
【発明が解決しようとする課題】
【０００５】
しかしながら、上記特許文献１に記載のものは、支持孔にピンを引っ掛けた後、連結具で固定するものであるため取り付けが容易とはいえず、また取り付けた後、簡単に取り外すことができない構造になっている。
上記特許文献２に記載のものは、パネルを上方に持ち上げて取付金具に胴縁を係止する必要がある。
従って、例えばパネルの長手方向の長さが床面から略天井までの長さを有するものの場合は、上方に持ち上げると天井にぶつけてしまうため、この取付構造を採用することができない。
また、パネルを取り外すときには廻り縁となる移動制止部材を取り外す必要があり、これも簡単に取り外すことができないものであった。
【０００６】
本発明は、上記実情に鑑みてなされたものであり、パネルを容易に着脱することができるパネル取付構造を提供することを目的としている。
【課題を解決するための手段】
【０００７】
上記目的を達成するために、本発明に係るパネル取付構造は、複数のパネルを隙間を空けた状態で壁面に着脱自在に取り付けるパネル取付構造であって、前記壁面または前記パネルの背面のいずれか一方に係止部、他方に該係止部に係止される被係止部が設けられ、前記パネルからの押圧を受けることにより、前記被係止部が前記係止部に係止されるとともに、前記係止部側または前記被係止部側に設けられた解除レバーを前記隙間から操作することにより前記係止部と前記被係止部との係止状態が解除されることを特徴とする。
【０００８】
本発明において、前記係止部は、上下動する係止スライダーの先側に形成され、前記押圧により前記係止スライダーが移動し、鉤型形状の前記被係止部が前記係止部に係止されるものとしてもよい。
また本発明において、前記係止スライダーは、前記係止スライダーの前記上下動を規制するロックプレートを備え、該ロックプレートは、前記押圧を受けると、前記係止スライダーに対するロック状態を解除し、付勢手段の付勢力によって前記係止部が前記被係止部を係止する係止位置への移動を許容し、前記被係止部が前記係止部に係止されるとともに、前記解除レバーを操作することにより、前記付勢手段の付勢力に抗して前記係止状態が解除され、前記係止スライダーは前記ロックプレートによって前記ロック状態とされるようしてもよい。
さらに本発明において、前記係止部と前記被係止部とは互いにかみ合う形状に形成され、前記押圧を受けると、前記被係止部が前記係止部に当接して前記係止スライダーが上昇し、前記被係止部が前記係止部との係止位置まで押し込まれると、前記係止スライダーが自重によって下降し、前記被係止部が前記係止部に係止されるとともに、前記解除レバーを前記係止スライダーの自重に抗して上向きに操作することにより、前記係止状態が解除されるものとしてもよい。
【０００９】
そして本発明において、前記被係止部は、前記係止部に向かって突出した突起片からなり、前記押圧により前記突起片が前記係止部に設けられた凹所に嵌め入れられ、前記突起片が前記凹所に係止されるとともに、前記解除レバーを回動操作することにより、前記係止状態が解除されるものとしてもよい。
また本発明において、前記壁面の前記隙間に対応する位置には、固定柱が設けられ、該固定柱に前記係止部または前記被係止部が取り付けられているものとしてもよい。
【発明の効果】
【００１０】
本発明に係るパネル取付構造によれば、上述の構成としているので、パネルを容易に着脱することができる。
【図面の簡単な説明】
【００１１】
【図１】（ａ）及び（ｂ）は、本発明の一実施形態に係るパネル取付構造を説明するための模式的側面図である。
【図２】同パネル取付構造を説明するための模式的斜視図である。
【図３】同パネル取付構造に採用される係止部が構成される係止スライダー等の固定機構部を説明するための分解斜視図である。
【図４】（ａ）及び（ｂ）は、同パネル取付構造に採用される係止部と被係止部の係止動作を説明するための模式的斜視図である。
【図５】（ａ）及び（ｂ）は、同パネル取付構造の変形例を説明するための模式的斜視図である。
【図６】同変形例を説明するための模式的側面図であり、各部の係止前の状態を拡大斜視図をともに示した図である。
【図７】同変形例を説明するための模式的側面図であり、各部の係止前の状態を拡大斜視図をともに示した図である。
【図８】（ａ）〜（ｃ）は、本発明の他の実施形態に係るパネル取付構造を説明するための模式的側面図である。
【図９】（ａ）及び（ｂ）は、同パネル取付構造に採用される係止部と被係止部の係止動作を説明するための模式的斜視図である。
【図１０】（ａ）及び（ｂ）は、同パネル取付構造に採用される係止部と被係止部の係止解除動作を説明するための模式的斜視図である。
【図１１】（ａ）〜（ｃ）は、同パネル取付構造に採用される係止部と被係止部の係止動作及び係止解除動作を説明するための模式的斜視図及び模式的断面図である。
【図１２】（ａ）及び（ｂ）は、同パネル取付構造に採用される被係止部の動作を説明するための模式的斜視図である。
【発明を実施するための形態】
【００１２】
以下に本発明の実施の形態について、図面に基づいて説明する。
図１〜図７は、第１実施形態に係るパネルの付構造について説明するための説明図である。なお、図１ではロックプレート６の動作状態をわかりやすくするため、固定柱１０の側面を省略して示しており、図４も説明のため、パネル１、固定柱１０の図示を省略している。また図６、図７も説明のため、概略的に要部のみを図示している。
本実施形態に係るパネル取付構造は、複数のパネル１を隙間ｄを空けた状態で壁面１２に着脱自在に取り付けるパネル取付構造であって、ここでは壁面１２に係止部２、パネル１の背面１ａに被係止部３が設けられ、パネル１からの押圧を受けることにより、被係止部３が係止部２に係止されるとともに、係止部２側に設けられた解除レバー４を前記隙間から操作することにより係止部２と被係止部３との係止状態が解除される。
【００１３】
パネル１は、壁面１２に沿って略鉛直に立てて設置され、縦長の薄型矩形状に形成されている。
パネル１は特に限定されるものではないが、着脱が容易でパネル１を上方に持ち上げることなく着脱できるように構成されているので、例えば調湿機能、脱臭機能等を有した機能パネルや略天井近くまで高さがあるようなパネルなどが好適である。従って、ここでは図示していないが、排気口、吸気口等を備えたパネルとしてもよいし、意匠性の高いパネル体であってもよい。
パネル１の下端部には、図例のように端面を一部切欠いて形成された切欠溝部１ｂが形成されているものとしてもよい（図２・Ｂ部拡大図参照）。切欠溝部１ｂは、断面視して下面が開口の凹状に切り欠かかれており、パネル１の取り付け時において横方向に沿ってパネル１の端から端まで切り込み形成されている。
パネル１の背面１ａには、被係止具３０がビスなどの固定具３１によって固着されている。パネル１の背面１ａに固着された被係止具３０は固定具３１が挿通される挿通孔を備えた固定部３０ａと被係止部３となる鉤型形状の引掛部３０ｂとを備え、側面視して略Ｚ字形状に形成されている。
【００１４】
図２に示すようにパネル１が取り付けられる壁面１２には、前面開口の凹所１２ａが形成されており、この凹所には、所定の間隔を空けて固定柱１０が複数設けられている。固定柱１０は、パネル１が複数並べて取り付けられたとき、パネル１とパネル１の間に若干隙間ｄが形成されるように設けられる。
固定柱１０は、金属材、樹脂材などからなり、断面視して前面が開口形成された凹条部１０ｃを備えた形状（略コの字型形状）とされ、長手方向両側部は側壁となっており、解除レバー４が挿通される挿通開口部１０ｂ（図２・Ａ部拡大図参照）が形成される。固定柱１０の長手方向の寸法は凹所１２ａの高さ寸法に合わせて形成される。固定柱１０の厚み寸法は凹所１２ａ内に納まり、且つパネル１を取り付け際にパネル１の前面が壁面１２と略面一になるように設定される。固定柱１０は、その上下両端部を固定部材１０ａによって固定されており、この固定部材１０ａはビスなどの連結具によって凹所１２ａに直接連結され固定されている（図２・Ｂ部拡大図参照）。
【００１５】
凹所１２ａの下端部には、横方向に沿ってパネル１の下端部に形成された切欠溝部１ｂと嵌合関係となり、パネル１の下端部を支持し取り付け位置の位置決め機能ともなるレール部１３が形成されている。
隣り合う固定柱１０と固定柱１０の間隔は、パネル１の幅方向の寸法に合わせて設定され、この固定柱１０の所定位置に係止部２を備えた固定機構部２０が取り付けられる。固定機構部２０が取り付けられる位置には上述の挿通開口部１０ｂ（図２・Ａ部拡大図参照）が形成されており、図１〜図４では、この固定機構部２０が固定柱１０の略中央位置の高さ位置に設けられた例を示している。
【００１６】
ここでは、凹所１２ａの下端部にレール部１３が形成された例を示しているが、これに限定されず、また凹所１２ａの上端部に回り縁を設けたものとしてもよい。このようにレール部１３を備えたものとすれば、床面に対して略鉛直にパネル１を取り付け施工しやすいものとすることができる。またここでは天井と凹所１２ａの上端部との間に隙間がある例を示しているが、凹所１２ａの上端部と天井とがほぼ一致しているものとしてもよい。
【００１７】
次に固定柱１０に取り付けられ係止部２を備えた固定機構部２０について説明する。
固定機構部２０は、上下動する係止スライダー５と係止スライダー５の上下動を規制するロックプレート６と、係止スライダー５が内装される固定機構部本体７とを備えている。
係止スライダー５は、付勢手段８とロックプレート６の動作をきっかけに上下動するように構成された側面視して略矩形状のブロック体からなり、係止スライダー５のいずれか一方の先側には係止部２となる漸次先細の傾斜部２ａが形成されている。傾斜部２ａはパネル１の取付状態において、壁面１２側からパネル１側へと斜めに傾斜した傾斜面を備えており、この傾斜面に被係止部３が当接すると壁面１２側に被係止部を引き寄せる分力を作用させることができる。また係止スライダー５の他方には、付勢手段８が固着されており、ここでは付勢手段８として圧縮コイルバネが用いられた例を示している。
付勢手段８は、係止スライダー５の先側に形成された係止部２と被係止具３０に形成された被係止部３との係止位置方向に係止スライダー５が移動するように構成されている。従ってここでは、係止スライダー５が下降し係止部２と被係止部３とが係止状態になる例、すなわち係止位置が下方にある例を示しているので、付勢手段８は、係止スライダー５に対して下向きに付勢力が働くように設けられる。
【００１８】
係止スライダー５に側面で且つ係止部２に近接した位置には、解除レバー４が係止スライダー５と一体に形成されている。
解除レバー４は薄肉の板片に形成されており、固定柱１０への組付状態において、挿通開口部１０ｂに解除レバー４を挿通し、固定柱１０の凹条部１０ｃ内において突出し露出するように設けられる。すなわち、固定柱１０に固定機構部本体７を取り付けた際には、図２のＡ部拡大図されに示すように解除レバー４の先がパネル１と背面１ａと平行して突出して設けられる。
従って、複数のパネル１を固定柱１０に取り付けた状態で、その隙間ｄから解除レバー４が固定柱１０内で突出しているので、工具などを隙間ｄに入れて解除レバー４を引き上げる操作を行うことができる。なお、パネル１の着脱要領については、後に詳しく説明する。
この解除レバー４は係止スライダー５と連動する構成であれば、必ずしも係止スライダー５に一体に形成されている必要はない。しかしながら、このように一体に形成されているものとすれば、簡易な構成で係止スライダー５の下降に伴って（連動して）、解除レバー４を下降させることができる。また解除レバー４を上昇させれば、これに伴って係止スライダー５も上昇させることできる。また一体に形成することにより、部品点数を軽減することができる。
【００１９】
固定機構部本体７は、略直方体形状のブロック体からなり、係止スライダー５及び付勢手段８が納められる。固定機構部本体７内に納められた係止スライダー５は、ロックプレート６及び付勢手段８の作用によって上下動するよう構成されている。
従って、固定機構部本体７の下方端面は、下降した係止スライダー５が露出し、係止部２が現れるように（図１（ｂ）参照）開口状態に形成されている。
固定機構部本体７の固定柱１０側の側面は、上述の解除レバー４が固定柱１０の凹条部１０ｃ内に露出するように挿通部が形成されている。
また固定機構部本体７の固定柱１０側の側面にはロックプレート６が取り付けられ、ロックプレート６の動きと係止スライダー５が連動するように構成される。
この固定機構部本体７の固定柱１０側の側面には、ロックプレート６が回動するよう固定柱１０側に突出した軸部７０と、ロックプレート６が受ける押圧力に抗した力を作用させるバネ材７ａ（図例はトーションバネ）が巻きつけられたバネ軸部７１とが設けられている。バネ部材７ａの一端側は、固定機構部本体７に係止され、他端側は、ロックプレート６の係止孔６３に係止されており、フック部６１で解除レバー４を引掛ける方向に付勢している。
【００２０】
ロックプレート６は、薄肉の板片からなり、パネル１が取り付けられる際にパネル１の背面１ａが押し当てられる当接部６０と、解除レバー４を係止するフック部６１と、軸部７０に挿通される貫通孔６２とを備えている。
当接部６０は、パネル１が取り付けられる際に押圧力を受け、係止スライダー５を下降動作に導くトリガとなる。
従って、固定機構部２０が固定柱１０に取り付けられた際には、パネル１の背面１ａで押圧されるように当接部６０が固定機構部本体７の前面及び固定柱１０の前面よりも若干前方に突出した状態となるよう構成される（図１（ａ）参照）。
ここで当接部６０の形状は特に限定されるものではないが、図例のように側面視して丸みを帯びた曲面とすることが望ましい。これによれば、当接部６０にパネル１の背面１ａが押し当てられても、パネル１の背面１ａに傷などをつけたりすることを防止することができる。
【００２１】
フック部６１は、側面視して鉤型形状に形成されており、当接部６０が押圧力を受けていない場合、すなわちパネル１が取り付けられていないロック状態では、係止スライダー５及び解除レバー４の下降を阻止する位置に設けられる。従って、例えばロック状態で解除レバー４を引き下げる操作を行っても、このフック部６１が邪魔して解除レバー４を引き下げることができない。また、フック部６１は、当接部６０が押圧力を受けている場合、すなわちパネル１が取り付けられた非ロック状態では、係止スライダー５及び解除レバー４の下降を許容する位置に設けられる。従って、非ロック状態で解除レバー４を引き上げる操作をすれば、フック部６１が邪魔することがないので、解除レバー４を引き上げることができる。
【００２２】
この当接部６０及びフック部６１を備えたロックプレート６は、軸部７０の周りを回動するように構成されており、この回動によって、係止スライダー５の移動を許容し、阻止している。すなわちパネル１が取り付けられていないロック状態では、係止スライダー５を係止部２が被係止部３を係止しない位置で保持する。一方、パネル１からの押圧を受けると、ロックプレート６は係止スライダー５のロック状態を解除して、係止スライダー５が付勢手段８の付勢力によって係止位置に移動するよう作用する。
このように係止スライダー５の上下動は、ロックプレート６の動作をきっかけに動作する。
【００２３】
次に図面を参照しながら、パネル１の取付要領を説明する。
まず、パネル１の下端部の切欠溝部１ｂをレール部１３に嵌合させる（図２・Ｂ部拡大図参照）。このとき、パネル１の左右両端部が、隣り合う固定柱１０と固定柱１０に取り付けられた固定機構部２０の取付位置と対応する位置にきているか、位置あわせを行う。そしてパネル１の下端部を支点としてそのまま壁面１２（凹所１２ａ）側向かってにパネル１を押し倒していく（図１（ａ）、図２参照）。
【００２４】
パネル１の背面１ａに当接部６０が当接するとパネル１に加わる押圧を受け、バネ材７ａの弾力に抗してロックプレート６が軸部７０回りに（図１（ａ）白抜矢印方向）に回動し、その結果、ロックプレート６による係止スライダー５のロックが解除され、付勢手段８の付勢力が作用して係止スライダー５が下降する。そして係止スライダー５の先側に形成された係止部２がパネル１の背面１ａに取り付けられた被係止部３を係止してパネル１を壁面１２側に引き寄せた状態に取り付けることができる（図１（ｂ）、図４（ｂ）参照）。
このとき、係止部２は傾斜部２ａを備えているため、パネル１を壁面１２側に引き寄せやすく、隙間のない施工を行うことができる。
以上によれば、パネル１を壁面１２に向かって押し当てていけば取り付けることができ、パネル１を上方に持ち上げることなく、容易に取り付けを行うことができる。従って、上方に持ち上げると天井にぶつけてしまうおそれがある高さのあるパネルや重量のあるパネルなどでも容易に取り付けることができる。
【００２５】
続いて、パネル１の取り外し要領を説明する。
上述の要領で取り付けられた複数のパネル１同士の間には隙間ｄが形成されているため、この隙間ｄから解除レバー４を引き上げることができる工具などを差し込む。固定柱１０内の解除レバー４を引き上げると、付勢手段８の付勢力に抗して係止スライダー５も上昇する。このとき付勢手段８は上方向に圧縮される。係止スライダー５の上昇に伴い、係止部２による被係止部３への係止状態が解除されるとパネル１の係止も解かれ、パネル１を壁面１２から取り外すことができる。このとき、ロックプレート６の当接部６０への押圧も解除され、バネ材７ａの付勢力によってロックプレート６が軸部７０を軸として回動し、フック部６１が元のロック状態にもどる（図１（ａ）、図４（ａ）参照）。
なお、解除レバー４から手を離すと付勢手段８の付勢力により係止スライダー５が下降しようとするが、フック部６１によって解除レバー４が係止されるので、係止スライダー５の下降が阻止される。
以上によれば、解除レバー４を引き上げるという操作だけでパネル１を容易に取り外すことができる。従って、パネル１のメンテナンスや交換などを容易にすることができる。
【００２６】
上述の第１実施形態では、係止部２を備えた固定機構部２０を固定柱２０に取り付け、パネル１の背面１ａに被係止部３を備えた被係止具３０を取り付けた例について説明したが、これに限定されるものではない。例えば、パネル１の背面１ａに係止部２を備えた固定機構部２０を取り付け、固定柱２０に被係止部３を備えた被係止具３０を取り付けてもよい。
【００２７】
またロックプレート６によるロック状態が解除されると係止スライダー５が下降して係止部２が被係止部３を係止する構成について説明したが、これに限定されず、ロック状態が解除されると係止スライダー５が上昇し、係止部２が被係止部３を係止する構成としてもよい。例えば、固定機構部２０及び被係止具３０の取り付け向きを上下逆にすれば、上述の構成を実現することができる。この場合でも、付勢手段８が上述のように圧縮コイルバネであれば、係止スライダー５を上昇させる方向に付勢力を発揮することができる。
【００２８】
さらにここでは、固定柱１０に固定機構部２０を取り付ける例についてについて説明しているが、これに限定されず、例えばパネル１の背面を掘り込み、凹所を形成し、そこに固定機構部２０を取り付けてもよい。この場合、壁面１２に被係止具３０を取り付けることになる。
【００２９】
次に図５〜図７を参照しながら、第１実施形態の変形例について説明する。
なお、上記の例との相違点について主に説明し、同様の構成については、同一符号を付し、その説明を省略または簡略に説明する。
ここでは、固定機構部２０が固定柱１０に３箇所設けられ、これに対応してパネル１の背面１ａに被係止部３を備えた被取付具３０が複数設けられた例を示している。従って、この例では、一枚のパネル１が計６箇所で係止状態とされていることになる。
また上述の例では、解除レバー４が係止スライダー５に一体に設けられた例を説明したが、ここでは解除レバー４が別体に構成されている点で異なる。
さらにここに設けられる固定機構部２０は、一番上方に取り付けられた固定機構部２０のみにロックプレート６を備え、その他は、一番上方に取り付けられた固定機構部２０と連動して係止スライダー５の上下動を行っている点でも上述の例と異なる。
【００３０】
図６、図７に示すように、この例では３つの固定機構部２０に設けられた係止スライダー５がひとつの連結板９で連結されている。ロックプレート６は一番上方に取り付けられた固定機構部２０にのみ設けられているので、係止スライダー５を下降動作に導くトリガは一番上方にのみ設けられていることになる。係止スライダー５がそれぞれ付勢手段８によって下向きに付勢されている点は上述の例と同様である。
連結板９は平面視して細長の略長方形状に形成され、この連結板９によって複数の係止スライダーをリンクさせている。
連結板９の長手方向上方端部は、一番上方に設けられた固定機構部本体７に連結板９の長手方向上方端部が固定具９ａによって固定されているが、その他は固定されず、フリーな状態となっている。中央と一番下方に設けられた固定機構部本体７にはリンク軸９ｃが設けられており、連結板９に形成されたスライド孔９ｂに係止されて上下にスライド自在に構成されている。
【００３１】
このように中央と一番下方に設けられた固定機構部本体７と連結板９とを固定関係としないことにより、パネル１の背面１ａに取り付ける被係止具３０の設置位置に誤差が生じても係止スライダー５の先側に形成された係止部２によって被係止部３を係止することができる。
以上によればパネル１の片端部を複数の固定機構部２０及び被係止具３０で係止状態とするので、より一層強固にパネル１を壁面に取り付け保持できるものでありながら、上記の例と同様に容易に取り付けを行うことができる。
【００３２】
解除レバー４は図５に示すように一番上方に設けられた固定機構部本体７の下方に被係止具３０の邪魔にならない位置に取り付けられている。解除レバー４は固定柱１０の長手方向両側部は側壁に形成された挿通開口部１０ｂ（図５・Ｃ部拡大図参照）に挿通されるとともに、連結板９に固着されている。
【００３３】
従って、解除レバー４を引き上げれば連結板９が上昇し、３箇所の係止スライダー５もこれに連動して上昇する。そしてパネル１の係止スライダー５の上昇に伴い、係止部２による被係止部３への係止状態が解除されるとパネル１の係止も解かれ、パネル１を壁面１２から取り外すことができる。このとき、ロックプレート６の当接部６０への押圧も解除され、バネ材７ａの付勢力によってロックプレート６が軸部７０を軸として回動し、フック部６１が元のロック状態にもどる点は上述の例と同じである。
なお、ここではパネル１の一方端部に３箇所設けられる例を示しているが、これに限定されず、２箇所でもよいし、パネル１の大きさなどに応じて４箇所以上設けたものとしてよい。
【００３４】
続いて、本発明に係る他の実施の形態について、図面を参照しながら説明する。
図８〜図１０は、第２実施形態に係るパネル取付構造について説明するための説明図である。
なお、上記第１実施形態との相違点について主に説明し、同様の構成については、同一符号を付し、その説明を省略または簡略に説明する。また図１０（ａ）では係止関係をわかりやすくするため、パネル１の図示を省略している。
ここに示す係止部２と被係止部３とは、互いにかみ合う形状に形成され、パネル１からの押圧を受けると、被係止部３が係止部２に当接して係止スライダー５が上昇し、被係止部３が係止部２との係止位置まで押し込まれると、係止スライダー５が自重によって下降し、被係止部３が係止部２に係止される点で上記第１実施形態とは異なる。
また解除レバー４を係止スライダー５の自重に抗して上向きに操作することにより、係止状態が解除される点も上記第１実施形態と異なる。
【００３５】
パネル１の背面１ａには、被係止具３０がビスなどの固定具３１によって固着されている。パネル１の背面１ａに固着される被係止具３０は、固定具３１が挿通される挿通孔を備えた固定部３０ａと被係止部３となる鉤型形状の引掛部３０ｂとを備え、被係止部３は壁面１２側に突出して形成されている。
図８（ａ）に示すように被係止部３の基部３ｂは上端部を切欠き形状とし、基部３ｂに連設され壁面１２側に突出した先側には、パネル１側から壁面１２側に向かって下方側に傾斜した傾斜部３ａが形成されている。
この基部３ｂと係止スライダー５に形成される被係止部３の傾斜部３ａの形状は、係止部２と互いにかみ合う形状に形成されている。
【００３６】
固定機構部２０が設けられる固定柱１０の形状は、前面が開口形成され凹条部１０ｃを備えた断面視して略Ｍ字状体に形成されている。固定柱１０の形状は、これに限定されず上記第１実施形態と同じ形状のものを用いてもよい。解除レバー４が挿通される挿通開口部１０ｂが形成されている点は上記第１実施形態と同じである（図１０（ａ）参照）。
【００３７】
固定機構部２０は、係止スライダー５と解除レバー４と固定機構部本体７を備えている。
係止スライダー５及び解除レバー４は、固定機構部本体７の上下両端側に固着されている。
係止スライダー５は固定機構部本体７の側面に形成された上下方向に延びる上方スライド用長孔７２と重合する長孔を有し、固定機構部本体７を固定柱１０に移動自在に支持する係止軸５０によって、上下動自在に支持されている。
【００３８】
係止スライダー５は、被係止部３が当接することにより上昇する一方、被係止部３との係止位置まで被係止部３が押し込まれると固定機構部本体７の自重によって下降するように構成されており、固定機構部本体７内に納められている。係止スライダー５の下方の先側には係止部２となる側面視して内向きに傾斜した傾斜部２ａが形成されており、被係止部３が当接して押圧されると傾斜部２ａの傾斜部３ａの上方角部３ａａが当接して係止スライダー５が上昇するよう構成される。ここでは傾斜部２ａ、３ａが略４５度の同じ傾斜角に傾斜された例を示しているが、傾斜角はこれに限定されるものではなく、例えば一方が略７０度であれば他方を略３０度に設定してもよい。
係止スライダー５はパネル１が取り付けられていない状態では、固定機構部本体７の自重によって下降した状態に保持される（図８（ａ）参照）。
【００３９】
解除レバー４は、係止スライダー５とは別体に形成され、固定機構本体７に固着されている。解除レバー４は、図１０（ａ）に示すように薄肉の板片に形成されており、固定柱１０への固定機構部２０の取付状態において、固定柱１０内において突出し露出するように設けられる。
従って、複数のパネル１を固定柱１０に取り付けた状態で、その隙間ｄから解除レバー４が固定柱１０内に突出しているので、工具などを隙間ｄに入れて解除レバー４を引き上げる操作を行うことができる。
解除レバー４は固定機構部本体７の側面に形成された下方スライド用長孔７３と重合する長孔を有し、固定機構部本体７を固定柱１０に移動自在に支持する係止軸４０によって、上下動自在に支持されている。
そして係止スライダー５と同様にパネル１が取り付けられていない状態では、固定機構部本体７の自重によって下降した状態に保持される。
【００４０】
固定機構部本体７は、略直方体形状のブロック体からなり、係止スライダー５及び解除レバー４が上下両端側に固着されて納められる。固定機構部本体７の側面、詳しくは固定柱１０に取り付けられる側ではない側面（反固定柱１０側）には、上述の上方スライド用長孔７２及び下方スライド用長孔７３が形成されている。上方スライド用長孔７２及び下方スライド用長孔７３は、同形状、同寸法に形成され、縦長の方形の上下端が係止軸５０，４０を係止しやすいように湾曲形状とされている。
【００４１】
また下方スライド用長孔７３の下端近傍には、解除レバー４が工具などによって引き上げられた際に係止軸４０のナット部が嵌合する受け部７４が形成されている。
受け部７４は解除レバー４が引き上げられた際に係止軸４０のナット部を嵌合できるよう上方に開口した側面視して略Ｕ字状に形成されている。
固定機構部本体７のパネル１と対向する側面中央には被係止部３が押し込まれる係止凹所７５が側面視して略方形状に形成されている。
ここに示す係止凹所７５は前後方向に貫通して形成されたものを示しているが、少なくとも被係止部３が押し込まれる側が開口していればよい。
【００４２】
次に図面を参照しながら、パネル１の取付要領を説明する。
まず、パネル１の下端部の切欠溝部１ｂをレール部１３に嵌合させ、パネル１の下端部を支点としてそのまま壁面１２（凹所１２ａ）側に向かってパネル１を押し倒していく（図８（ａ）、図９（ａ）参照）。
パネル１を壁面１２側に向けて押圧するとパネル１の背面１ａに設けられた被係止部３が係止部２に当接する。詳しくは被係止部３の傾斜部３ａが係止部２の傾斜部２ａに当接することにより壁面１２方向に働いていたパネル１の押圧力に分力が作用して上下方向に力が作用する。この当接作用により、係止スライダー５が次第に上昇する（図８（ｂ）参照）。このとき、解除レバー４も連動して上昇する。そして被係止部３が係止部２との係止位置（図８（ｃ）の状態）まで押し込まれると、係止スライダー５が固定機構部本体７の自重によって下降し、被係止部３が係止部２に係止されパネル１を取り付けることができる（図８（ｃ）、図９（ｂ）参照）。
【００４３】
以上によれば、パネル１を壁面１２に向かって押し当てていけば取り付けることができ、パネル１を上方に持ち上げることなく、容易に取り付けを行うことができる。従って、上方に持ち上げると天井にぶつけてしまうおそれがある高さのあるパネルや重量のあるパネルなどでも容易に取り付けることができる。
【００４４】
続いて、パネル１の取り外し要領を説明する。
上述の要領で取り付けられた複数のパネル１の間には隙間ｄが形成されているため、この隙間ｄから解除レバー４を引き上げることができる工具などを差し込む。下降状態（図１０（ａ）参照）にあった解除レバー４を引き上げると、係止スライダー５も上昇する（図１０（ｂ）参照）。このとき固定機構部本体７が上方へ移動することにより、係止軸４０はスライド用長孔７４の最下端に位置し、ナット部が受け部７４に係止される。すると固定機構部７に固着された係止スライダー５もこれに伴って上昇し、係止部２による被係止部３との係止状態が解除されるとパネル１の係止も解かれ、パネル１を壁面１２から取り外すことができる。
以上によれば、解除レバー４を引き上げるという操作だけでパネル１を容易に取り外すことができる。従って、パネル１のメンテナンスや交換などを容易にすることができる。
【００４５】
上述の第２実施形態では、係止部２を備えた固定機構部２０を固定柱２０に取り付け、パネル１の背面１ａに被係止部３を備えた被係止具３０を取り付けた例について説明したが、これに限定されるものではない。例えば、パネル１の背面１ａに係止部２を設け、固定柱２０に被係止部３を設けてもよい。
【００４６】
またここでは、固定柱１０に固定機構部２０を取り付ける例についてについて説明しているが、これに限定されず、例えばパネル１の背面を掘り込み、凹所を形成し、そこに固定機構部２０を取り付けてもよい。この場合、壁面１２に被係止具３０を取り付けることになる。
【００４７】
次に、本発明に係る更に他の実施の形態について、図面を参照しながら説明する。
図１１、図１２は、第３実施形態に係るパネル取付構造について説明するための説明図である。
なお、上記第１実施形態との相違点について主に説明し、同様の構成については、同一符号を付し、その説明を省略または簡略に説明する。
ここに示す被係止部３は、係止部２に向かって突出した突起片３０ｃからなり、パネル１による押圧により突起片３０ｃが係止部２に設けられた凹所２ｂに嵌め入れられ、突起片３０ｃが凹所２ｂに係止される点で上記各実施形態と異なる。
【００４８】
また本実施形態では解除レバー４が被係止部３側に設けられ、解除レバー４を回動操作することにより、係止状態が解除される点、係止スライダー５を備えていない点も上記各実施形態と異なる。
さらに本実施形態では係止部２が固定柱１０に設けられている点でも上記各実施形態と異なる。
【００４９】
パネル１の背面１ａには、被係止具３０がビスなどの固定具３１によって固着されている。パネル１の背面１ａに固着される被係止具３０は、固定具３１が挿通される挿通孔を備えた固定部３０ａと突起片３０ｃとを備え、突起片３０ｃは壁面１２側に突出して形成されている。突起片３０ｃの外形は側面視したときに三角形状に形成されている。突起片３０ｃは、その中央に係止部２に向かって突出した突出軸３０ｃａと、この突出軸３０ｃａを挟んで両脇に形成された爪部３０ｃｂ，３０ｃｂとを備えている。爪部３０ｃｂ，３０ｃｂは突出軸３０ｃａの係止部２側からパネル１側へ次第に広がるように形成されており、凹所２ｂに押し込まれる際には爪部３０ｃｂ，３０ｃｂのパネル１側先部が係止部２に当接し、その押圧により変形してスムーズに係止部２に係止されるよう構成されている。
【００５０】
被係止具３０には、解除レバー４が設けられており、解除レバー４は突起片３０ｃと一体に形成されている。すなわち図１２（ａ）などに示すように突起片３０の突出軸３０ｃａのパネル１側に解除レバー４が連設されている。解除レバー４は、薄板片からなり、工具などによる操作で回動するように構成される。
解除レバー４には、立壁部４ａが形成されており、立壁部４ａは、パネル１とパネル１の隙間ｄから挿入される工具などが引掛けやすいように立ち上がり形成されている。
解除レバー４は工具などによる操作で回動するように構成される。
【００５１】
突起片３０ｃの設置向きと解除レバー４の動作は連動しており、ここでは解除レバー４が斜め下方位置に保持されている際に、突起片３０ｃが係止部２へ係止させるため、爪部３０ｃｂが係止部２に当接する向き（図１１（ａ）、（ｂ）、図１２（ａ）参照）になるよう形成されている。また解除レバー４が斜め上方位置に保持されている際に爪部３０ｃｄと係止部２の係止関係が解除される向き（図１１（ｃ）、図１２（ｂ）参照）になるよう形成されている。
【００５２】
固定機構部２０が設けられる固定柱１０の形状は、前面が開口形成されており、突起片３０ｃが嵌め入れられる凹所２ｂが固定柱１０の長手方向に沿って両端部のそれぞれに形成されている。固定柱１０の形状は、これに限定されるものではないが、図例のように１本の固定柱１０で２枚のパネル１の片端部を係止できる構成とされる。
凹所２ｂの前面側開口には、鉤型形状に形成された係止部２が向き合うように設けられている。係止部２は突出軸３０ｃａの両脇に形成された爪部３０ｃｂ，３０ｃｂのそれぞれを係止するように固定柱１０の長手方向に沿って凹所２ｂの開口両端部に形成されている。
【００５３】
ここで、図１１（ｂ）に示すように向き合うように形成された係止部２と係止部２との間に形成される開口部２ｃには、突起片３０ｃが押し込まれる。従って、開口部２ｃの開口幅Ｄ１と突起片３０ｃの爪部３０ｃｄの開き幅Ｄ２は、開口幅Ｄ１より開き幅Ｄ２が大になるよう形成される。
また図１１（ｃ）に示すように突起片３０ｃの厚み幅Ｄ３は、解除レバー４の操作により略９０度突起片３０ｃが回動した際に係止部２と被係止部３の係止関係が解除されるように開口幅Ｄより小になるよう形成される。
【００５４】
次に図面を参照しながら、パネル１の取付要領を説明する。
まず、パネル１の下端部の切欠溝部１ｂをレール部１３に嵌合させ、パネル１の下端部を支点としてそのまま壁面１２（凹所１２ａ）側に向かってパネル１を押し倒していく（図１１（ａ）参照）。
パネル１を壁面１２側に向けて押圧するとパネル１の背面１ａに設けられた被係止部３の突起片３０ｃが係止部２に押し込まれ、係止位置まで突起片３０ｃが押し困られると、突起片３０ｃが凹所２ｂに嵌め入れられ、被係止部３が係止部２に係止されてパネル１を壁面１２側に引き寄せた状態に取り付けることができる（図１１（ｂ）
参照）。
【００５５】
このとき、係止部２の鉤型部分と爪部３０ｃｂ，３０ｃｂとが係合するように形成されているため、パネル１を壁面１２側に引き寄せやすく、隙間のない施工を行うことができる。
以上によれば、パネル１を壁面１２に向かって押し当てていけば取り付けることができ、パネル１を上方に持ち上げることなく、容易に取り付けを行うことができる。従って、上方に持ち上げると天井にぶつけてしまうおそれがある高さのあるパネルや重量のあるパネルなどでも容易に取り付けることができる。
【００５６】
続いて、パネル１の取り外し要領を説明する。
上述の要領で取り付けられた複数のパネル１の間には隙間ｄが形成されているため、この隙間ｄから解除レバー４を引き上げることができる工具などを差し込む。解除レバー４の立壁部４ａを工具などで引き上げると、突起片３０ｃの向きが解除レバー４の回動により変わり（図１２（ｂ）参照）、係止部２との係止状態が解除される（図１１ｃ参照）。係止部２による被係止部３との係止状態が解除されるとパネル１の係止も解かれ、パネル１を壁面１２から取り外すことができる。
以上によれば、解除レバー４を引き上げるという操作だけでパネル１を容易に取り外すことができる。従って、パネル１のメンテナンスや交換などを容易にすることができる。
【００５７】
上述の第３実施形態では、固定柱２０に係止部２を設け、パネル１の背面１ａに被係止部３及び解除レバー４を備えた被係止具３０を取り付けた例について説明したが、これに限定されるものではない。例えば、パネル１の背面１ａに係止部２を設け、固定柱２０に被係止部３を設けてもよい。
【００５８】
また解除レバー４を引き上げると係止部２と被係止部３との係止状態が解除される構成について説明したが、これに限定されず、解除レバー４を引き下げると係止部２と被係止部３との係止状態が解除される構成としてもよい。
【００５９】
以上、各実施形態で説明したパネル１の形状や構成等は上述の例に限定されず、係止部２及び被係止部３、解除レバー４などの形状、構成、設置箇所及び設置される数等も図例に限定されるものではない。
【符号の説明】
【００６０】
１      パネル
１      パネル
１ａ      背面
１０      固定柱
１２      壁面
２      係止部
３      被係止部
３０ｃ      突起片
４      解除レバー
５      係止スライダー
６      ロックプレート
８      付勢手段
【図１】
0005346885.tif 000002
【図２】
0005346885.tif 000003
【図３】
0005346885.tif 000004
【図４】
0005346885.tif 000005
【図５】
0005346885.tif 000006
【図６】
0005346885.tif 000007
【図７】
0005346885.tif 000008
【図８】
0005346885.tif 000009
【図９】
0005346885.tif 000010
【図１０】
0005346885.tif 000011
【図１１】
0005346885.tif 000012
【図１２】
0005346885.tif 000013